(57)【要約】【課題】  広告、宣伝、標識、装飾等のために催し会場、遊技場、商店等に設置するに適した旗であって、風がなくても垂れ下がったりせず、人目を惹きやすいものを提供すること。【解決手段】  柔軟なシート材で形成された密閉式の袋体からなり、該袋体には空気を注入することのできる空気注入口が設けられるとともに、該袋体の側縁部にはポールを挿入することのできる筒部が一体に設けられている表示用旗。筒部とは反対側の側縁部は、凸状乃至凹凸状に形成することもできる。【選択図】        図１
0003130753.tif 000002
【実用新案登録請求の範囲】
【請求項１】
柔軟なシート材で形成された密閉式の袋体からなり、該袋体には空気を注入することのできる空気注入口が設けられるとともに、該袋体の側縁部にはポールを挿入することのできる筒部が一体に設けられていることを特徴とする表示用旗。
【請求項２】
袋体は、一方の側縁部が直線状で、他方の側縁部が凸状乃至凹凸状に形成され、前記直線状の側縁部にポールを挿入することのできる筒部が一体に設けられている請求項１に記載の表示用旗。
【考案の詳細な説明】
【技術分野】
【０００１】
本考案は、広告、宣伝、標識、装飾等のために使用される旗に関するものである。
【背景技術】
【０００２】
例えば、パチンコ店等の遊技場やスポーツ会場、特売会場等には、雰囲気を盛り上げたり、広告文を目立つように表示するために、旗が設置されることが多い。
【０００３】
この種の最も一般的な旗は、１枚の布で形成され、当該布の表面に文字や図形が表示されている。また、旗を構成する布の一方の側縁部には、ポール（旗竿）に取り付けるための紐や布リングが縫い付けられているのが一般的である。このように、旗の一側縁部をポールに取り付けるもののほかに、一側縁部と上縁部とに複数の布リング（乳輪）を設け、側縁部の布リングはポールに取り付け、上縁部の布リングは当該ポールの上端部から横向きに延出したアーム（カンザシ）に取り付けるようにした幟（のぼり）も多用されている。このようなものとしては、例えば特許文献１に開示されているようなものがある。
【０００４】
【特許文献１】特開平８−２２１０２２号公報
【考案の開示】
【考案が解決しようとする課題】
【０００５】
上記一側縁部をポールに取り付ける従来の旗は、風がないときには垂れ下がるので、見苦しく、表示が見えなくなるという問題点があった。また、側部と上部を支持する幟は、風がなくても垂れ下がることはないが、上部を支持するためのアームやリングが必要であるので、コストが高くなるという問題点があった。
【０００６】
そこで本願考案は、簡単な構造ながら、垂れ下がることがなく、表示が見やすい旗を提供することを課題としている。
【課題を解決するための手段】
【０００７】
本考案は、上記課題を解決するため、次のような構成を採用した。すなわち、請求項１に記載の表示用旗は、柔軟なシート材で形成された密閉式の袋体からなり、該袋体には空気を注入することのできる空気注入口が設けられるとともに、該袋体の側縁部にはポールを挿入することのできる筒部が一体に設けられていることを特徴としている。
【０００８】
また、請求項２に記載の表示用旗は、請求項１に記載の表示用旗において、さらに前記袋体は、一方の側縁部が直線状で、他方の側縁部が凸状乃至凹凸状に形成されていることを特徴としている。
【考案の効果】
【０００９】
本願考案に係る表示用旗は、空気を入れて膨らませることができる袋体からなるので、風がなくても垂れ下がることがなく、表面に文字や図柄を明瞭に表示することができる。また、一方の側縁部に添って筒部が一体に設けられているので、この筒部にポールを挿通するだけで、簡単に飾ることができる。
【考案を実施するための最良の形態】
【００１０】
本考案に係る広告用旗は、その本体を例えば軟質ビニール等の気密性を有する袋体で形成する。袋状の本体の外面には、文字、図柄等、所望の表示を施しておく。また、袋体の一方の側縁部に当該側縁部に沿って上下方向の筒部を設けておく。この筒部は、下端部を開口し、上端部は閉塞しておくことにより、ポールを筒部に下側から挿入するだけで、旗本体をずり落ちないように取り付けられる。
【実施例】
【００１１】
以下、図面に基づいて、本考案の実施例について具体的に説明する。この旗１は、袋状の本体２と筒部３からなる。本体２は、適度の強度を有する柔軟なシート材、例えば軟質ビニール等の合成樹脂で袋状に形成する。本体２の外面には、所望の文字、図形等を印刷等の手段で表示しておく。
【００１２】
本体２の一方の側縁部には、筒部３が該側縁部に沿って一体に設けられている。この筒部３の上端部は閉塞されており、下端部は開口している。筒部３の内径は、使用するポール１０の外径よりも若干大きめとする。
【００１３】
本体２の隅部には、空気注入口５が設けられている。この空気注入口５は、浮き袋等に設けられているものと同じで、小さな筒状体であり、先端部には、密封用の栓が着脱自在に設けられている。
【００１４】
図１に示す旗１は、筒部３と反対側の側縁部が概略三角形状の凸状に形成されているが、図２に示す旗１’は、筒部３と反対側の側縁部に複数の突起が形成されている。このように、風変わりな形状とすると、看者の注目を集めやすいという利点がある。旗２の素材が柔軟な材質であるから、尖った形状としても人を傷つけるおそれはない。
【００１５】
この旗１を取り付けるポール１０の材質としては、例えばアルミニウム等の金属、竹、プラスチック等を用いることが可能であり、形状としては、中空パイプ状でもよく、中実の棒状でもよい。このポール１０は、適当な手段で立てた状態で支持する。図１では、この支持手段として、重量のある例えば金属製のベース１５が設けられている。このベース１５に設けた上下方向の筒体１６にポール１０の下端部を挿入するだけで起立状態で支持することができるが、このようなベースを用いない場合は、例えば建造物等に結び付けて支持する等の方法を採用してもよい。
【００１６】
この旗の使用に際しては、本体２の空気注入口５から空気を吹き込んで膨らませ、筒部３にポール１０を挿入する。このポールを所望の場所に適当な手段で起立状態で支持すると、旗本体２がポールから横向きに張り出した状態となり、当該本体２の表面に描かれている文字や図形が明瞭に表示される。
【００１７】
この旗１は、柔軟なシート材を袋状に成形したものであるから、軽量であり、人が接触しても安全である。非使用時には空気を抜いてコンパクトに畳んでおくことができる。また、使用時には、空気を注入して膨らませているので、表面の文字や図形が明瞭に表示される。さらに、従来の旗のように、ヒラヒラとはためいたり、垂れ下がったりしないので、室内や狭い場所でも効果的に表示を行うことができる。
【００１８】
さらに、空気で膨らませて使用するので、任意の形状とすることができ、従来の旗に比べて変化に富んだものとすることができる。
【産業上の利用可能性】
【００１９】
本考案に係る表示用旗は、工業生産的に製作することができるもので、催し会場、スポーツ大会の会場、店舗の店先等に設置して広告や表示の手段として効果的に使用することができる。
【図面の簡単な説明】
【００２０】
【図１】本考案に係る表示用旗の１例を表す外観図である。
【図２】異なる形態を表す旗本体の外観図である。
【符号の説明】
【００２１】
１      表示用旗
２      旗本体
３      筒部
５      空気注入口
１０      ポール
１５      ベース
【図１】
0003130753.tif 000003
【図２】
0003130753.tif 000004